(57)【要約】【課題】瞬時のビットエラーを検出可能な受信状態監視装置を提供する。【解決手段】設定入力部１２がデジタル放送の受信状態を示すＢＥＲ（ＰＲＥ）、ＢＥＲ（ＰＯＳＴ）のいずれを取り出すのか設定を入力し、監視部１３が設定されたＢＥＲ（ＰＲＥ）、ＢＥＲ（ＰＯＳＴ）のいずれかを連続して取得する。これにより、瞬時のビットエラーを見逃さずに検出することができる。【選択図】図１
2013085024.tif 000002
【特許請求の範囲】
【請求項１】
デジタル放送の受信状態を監視する受信状態監視装置であって、
デジタル放送を受信するチューナと、
エラー訂正前のビット誤り率とエラー訂正後のビット誤り率のいずれを監視するかの設定を含む設定情報を入力する入力手段と、
前記設定情報に従って前記チューナから前記受信状態を取得する監視手段と、
前記監視手段が取得した受信状態を記録する記録手段と、
を有することを特徴とする受信状態監視装置。
【発明の詳細な説明】
【技術分野】
【０００１】
本発明は、デジタル放送データの受信状態を監視する技術に関する。
【背景技術】
【０００２】
近年、光ブロードバンドサービスの進展に伴い、光ネットワークを利用してデジタル放送をそのまま伝送する方式（ＲＦ方式）が広まっている。ＲＦ方式によるデジタル放送の再送信サービスでは、ユーザ宅内のＯＮＵ（Ｏｐｔｉｃａｌ  Ｎｅｔｗｏｒｋ  Ｕｎｉｔ）まで光信号で伝送され、ＯＮＵで電気信号に変換される。電気信号に変換されたＲＦ映像信号は、ユーザ宅内の同軸ケーブル、ブースタ、分配器等を経由してテレビに伝送される。
【０００３】
デジタル放送データの受信状態が悪い場合はブロックノイズ、ブラックアウトが発生する。このような故障発生時には、ユーザ宅内の同軸ケーブル区間の様々な箇所で、デジタル放送の受信状態を示すレベル、ＢＥＲ（Ｂｉｔ  Ｅｒｒｏｒ  Ｒａｔｅ：ビット誤り率）、ＣＮＲ（Ｃａｒｒｉｅｒ  ｔｏ  Ｎｏｉｓｅ  Ｒａｔｉｏ：搬送波対雑音比）をＲＦ信号測定器で測定して故障箇所を特定する（非特許文献１参照）。
【先行技術文献】
【非特許文献】
【０００４】
【非特許文献１】「フレッツ・テレビ故障切分けツールの開発」、ＮＴＴ技術ジャーナル、日本電信電話株式会社、２０１１年、第２３巻、第１号、p.58-59
【発明の概要】
【発明が解決しようとする課題】
【０００５】
しかしながら、従来のＲＦ信号測定器では瞬時（例えば１秒以下）のビットエラー（ＢＥＲでエラーがあることと同等）が検出できない場合があった。これは、例えば従来のＲＦ信号測定器でエラー訂正後のＢＥＲ（ＰＯＳＴ）の連続測定によりビットエラーの発生を確認しようとする場合、内蔵するチューナからエラー訂正前のＢＥＲ（ＰＲＥ）とエラー訂正後のＢＥＲ（ＰＯＳＴ）を交互に取り出しているために、エラー訂正前のＢＥＲ（ＰＲＥ）測定中はエラー訂正後のＢＥＲ（ＰＯＳＴ）の測定ができないためであった。
【０００６】
本発明は、上記に鑑みてなされたものであり、瞬時のビットエラーを検出可能な受信状態監視装置を提供することを目的とする。
【課題を解決するための手段】
【０００７】
本発明に係る受信状態監視装置は、デジタル放送の受信状態を監視する受信状態監視装置であって、デジタル放送を受信するチューナと、エラー訂正前のビット誤り率とエラー訂正後のビット誤り率のいずれを監視するかの設定を含む設定情報を入力する入力手段と、前記設定情報に従って前記チューナから前記受信状態を取得する監視手段と、前記監視手段が取得した受信状態を記録する記録手段と、を有することを特徴とする。
【発明の効果】
【０００８】
本発明によれば、瞬時のビットエラーを検出可能な受信状態監視装置を提供することができる。
【図面の簡単な説明】
【０００９】
【図１】本実施の形態における受信状態監視装置の構成を示す機能ブロック図である。
【図２】記録されるログの例を示す図である。
【図３】本実施の形態における受信状態監視装置をユーザ宅に設置した様子を示す模式図である。
【図４】２つの受信状態監視装置の監視結果とトラブルが想定される区間を示す図である。
【発明を実施するための形態】
【００１０】
以下、本発明の実施の形態について図面を用いて説明する。
【００１１】
図１は、本実施の形態における受信状態監視装置の構成を示す機能ブロック図である。同図に示す受信状態監視装置１は、チューナ１１、設定入力部１２、監視部１３、エラーカウント部１４、出力部１５、および記録部１６を備える。
【００１２】
チューナ１１は、デジタル放送のＲＦ信号を受信して受信状態を測定する。測定する受信状態の項目としては、レベル、ＢＥＲ（ＰＲＥ）、ＢＥＲ（ＰＯＳＴ）、ＣＮＲなどがある。
【００１３】
設定入力部１２は、設定情報を入力してチューナ１１、監視部１３に通知する。入力する設定情報としては、監視するチャンネル、監視部１３がチューナ１１から取り出す情報の指定があり、ＢＥＲ（ＰＲＥ）、ＢＥＲ（ＰＯＳＴ）のいずれを連続して取得するのか設定できる。従来のＲＦ信号測定器はＢＥＲ（ＰＲＥ）とＢＥＲ（ＰＯＳＴ）を交互に取得していたため瞬時のビットエラーが検出できない場合があったが、本実施の形態における受信状態監視装置１は、ＢＥＲ（ＰＲＥ）、ＢＥＲ（ＰＯＳＴ）のいずれかを指定して連続して取得するので、瞬時のビットエラーを見逃さずに検出することが可能となる。
【００１４】
監視部１３は、チューナ１１からデジタル放送の受信状態を示す情報を取得して記録部１６に記録する。
【００１５】
エラーカウント部１４は、チューナ１１が受信したデジタル放送のビットエラー数をカウントして記録部１６に記録する。従来のＲＦ信号測定器ではビットエラー数をカウントしていなかったが、本実施の形態における受信状態監視装置１は、ビットエラー数をカウントすることで瞬時のビットエラーを見逃さずに検出することが可能となる。
【００１６】
出力部１５は、デジタル放送の受信状態の監視結果を出力する。出力先としては、受信状態監視装置１が備えた表示画面や受信状態監視装置１に接続したパーソナルコンピュータなどがある。
【００１７】
記録部１６は、監視部１３が取得したデジタル放送の受信状態、エラーカウント部１４がカウントしたビットエラー数などのログを記録する。記録部１６に記録されたログは、受信状態監視装置１に接続したパーソナルコンピュータなどに出力できる。
【００１８】
ここで、ＢＥＲについて説明する。ＢＥＲとは、ビット誤り率のことで、エラー訂正前のＢＥＲ（ＰＲＥ）とエラー訂正後のＢＥＲ（ＰＯＳＴ）がある。デジタル放送信号には、誤り訂正符号（リードソロモン符号）が付与されており、テレビのチューナによりエラー訂正される。チューナでエラー訂正しきれないほどデジタル放送信号が乱れるとブロックノイズ等が発生する。
【００１９】
ＢＥＲの計測方法は、誤り訂正ビット数／伝送したビット数で求めることができる。例えば、ＢＥＲの計測時間を２秒とした場合、約１０Ｍｂｉｔ（１０×１０6ｂｉｔ）を伝送することになり、その間に３０ｂｉｔのエラーが発生した場合は、３０／１０×１０6＝３．０×１０-6となる。ＢＥＲの値が大きいほどエラーが多いことを示す。
【００２０】
図２に、記録部１６に記録されるログの例を示す。同図は、物理チャンネルＵ２７の受信状態を測定した例であり、ＢＥＲはエラー訂正後の値を取得している。３秒ごとにレベル、ＣＮＲ、ＢＥＲ（ＰＯＳＴ）、ビットカウント数などの受信状態の測定結果が記録されている。
【００２１】
次に、本実施の形態における受信状態監視装置をユーザ宅に設置する例について説明する。
【００２２】
図３は、本実施の形態における受信状態監視装置をユーザ宅に設置した様子を示す模式図である。
【００２３】
デジタル放送信号は、光ケーブルにより伝送されてユーザ宅内のＯＮＵ２でＲＦ信号に変換され、ユーザ宅内に配置された同軸ケーブル３、ブースタ４、分配器５等を経由してテレビ６Ａ，６Ｂで受信される。
【００２４】
ブロックノイズ発生などの障害発生時には故障箇所を特定する必要がある。ＯＮＵ２又は光ケーブル区間の故障か、同軸ケーブルで接続された区間の故障か、テレビの故障かを切り分けるため、ＯＮＵ２のＲＦ信号の出力側の同軸ケーブル３とテレビ６Ｂに入力される同軸ケーブル３に受信状態監視装置１Ａ，１Ｂを接続して設置する。受信状態監視装置１Ａ，１Ｂを接続する際には、長期監視を行うため、同軸ケーブル３に分配器を取り付けてＲＦ信号を分配して接続する。
【００２５】
図４に、受信状態監視装置１Ａ，１Ｂの監視結果とトラブルが想定される区間を示す。
【００２６】
受信状態監視装置１Ａ，１Ｂのいずれもビットエラーを検出した場合は、ＯＮＵ２上部でトラブルが発生したと推定される。受信状態監視装置１Ａはビットエラーを検出せず、受信状態監視装置１Ｂはビットエラーを検出した場合は、ユーザ宅内の同軸ケーブルで接続された区間でトラブルが発生したと推定される。受信状態監視装置１Ａ，１Ｂのいずれでもビットエラーを検出しない場合は、テレビ６Ｂのトラブルと推定される。
【００２７】
トラブル想定区間がユーザ宅内の同軸ケーブル区間の場合、さらに故障切り分けを行うために、ブースタ４、分配器５の入力端子・出力端子に接続された同軸ケーブル３に受信状態監視装置１Ａ，１Ｂを接続して受信状態を監視する。
【００２８】
以上説明したように、本実施の形態によれば、設定入力部１２がデジタル放送の受信状態を示すＢＥＲ（ＰＲＥ）、ＢＥＲ（ＰＯＳＴ）のいずれを取り出すのか設定を入力し、監視部１３が設定されたＢＥＲ（ＰＲＥ）、ＢＥＲ（ＰＯＳＴ）のいずれかを連続して取得することにより、瞬時のビットエラーを見逃さずに検出することができる。
【符号の説明】
【００２９】
１，１Ａ，１Ｂ…受信状態監視装置
１１…チューナ
１２…設定入力部
１３…監視部
１４…エラーカウント部
１５…出力部
１６…記録部
２…ＯＮＵ
３…同軸ケーブル
４…ブースタ
５…分配器
６Ａ，６Ｂ…テレビ
【図１】
2013085024.tif 000003
【図２】
2013085024.tif 000004
【図３】
2013085024.tif 000005
【図４】
2013085024.tif 000006